【手続補正書】
【提出日】平成18年2月27日(2006.2.27)
【手続補正１】
【補正対象書類名】明細書
【補正対象項目名】発明の名称
【補正方法】変更
【補正の内容】
【発明の名称】撮像装置及び再生方法
【手続補正２】
【補正対象書類名】明細書
【補正対象項目名】特許請求の範囲
【補正方法】変更
【補正の内容】
【特許請求の範囲】
【請求項１】
撮像手段からの画像信号を記憶し、記憶した画像信号を読み出して処理することにより、画像を表示手段に変倍表示可能な撮像装置であって、
前記表示する画像の拡大率を指示する指示手段と、
前記指示手段により指示された前記拡大率を記憶する記憶手段と、
前記記憶手段に記憶された拡大率に基づいて前記記憶された画像信号を変倍処理し、前記表示手段に出力する変倍処理手段とを有し、
前記記憶手段に記憶された拡大率は、前記指示手段により異なる拡大率が指示された場合に更新され、前記記憶手段に記憶されている拡大率は連続して表示する複数の画像に対して使用されることを特徴とする撮像装置。
【請求項２】
前記指示手段は更に拡大する領域を指示することが可能であり、前記記憶手段は更に指示手段により指示された領域を記憶し、前記変倍処理手段は前記記憶手段に記憶された拡大率及び領域に基づいて変倍処理を行い、前記領域は前記指示手段により異なる領域が指示された場合に更新され、前記記憶手段に記憶されている拡大率及び領域は連続して表示する複数の画像に対して使用されることを特徴とする請求項１に記載の撮像装置。
【請求項３】
前記記憶される画像信号は、前記撮像手段の有効領域全域の画像信号であることを特徴とする請求項１に記載の撮像装置。
【請求項４】
前記変倍処理手段は、画像再生モードにおいて前記変倍処理を実行することを特徴とする請求項１または２に記載の撮像装置。
【請求項５】
前記変倍処理手段は、撮影直後に撮影画像を予め設定された時間表示するレックレビューモードにおいて前記変倍処理を実行することを特徴とする請求項１または２に記載の撮像装置。
【請求項６】
前記変倍処理手段は、記録されている複数の画像を予め設定された時間ずつ連続して表示するスライドショーモードにおいて前記変倍処理を実行することを特徴とする請求項１または２に記載の撮像装置。
【請求項７】
前記変倍処理手段は、連写撮影直後に連写された撮影画像のみを順次予め設定された時間表示する連写スライドショーモードにおいて前記変倍処理を実行することを特徴とする請求項１または２に記載の撮像装置。
【請求項８】
復帰操作部材を更に有し、
該復帰操作部材が画像表示中に操作された場合には、前記記憶手段に記憶された拡大率及び領域を予め設定された拡大率及び領域に更新することを特徴とした請求項２に記載の撮像装置。
【請求項９】
前記撮像装置は、デジタルスチルカメラであることを特徴とする請求項１乃至８のいずれかに記載の撮像装置。
【請求項１０】
撮像手段からの画像信号を記憶し、記憶した画像信号を読み出して処理することにより、画像を表示手段に変倍表示する再生方法であって、
前記表示する画像の拡大率を指示する指示工程と、
前記指示工程で指示された前記拡大率を記憶する記憶工程と、
前記記憶工程で記憶された拡大率に基づいて前記記憶された画像信号を変倍処理し、前記表示手段に出力する変倍処理工程とを有し、
前記記憶工程で記憶された拡大率は、前記指示工程で異なる拡大率が指示された場合に更新され、前記記憶工程で記憶した拡大率は連続して表示する複数の画像に対して使用されることを特徴とする再生方法。
【請求項１１】
拡大する領域を指示する工程と、
前記指示された領域を記憶する工程とを更に有し、
前記変倍処理工程では前記記憶された拡大率及び領域に基づいて変倍処理を行い、前記領域は異なる領域が指示された場合に更新され、記憶されている拡大率及び領域は連続して表示する複数の画像に対して使用されることを特徴とする請求項１０に記載の再生方法。
【請求項１２】
請求項１０または１１に記載の再生方法を実現するためのプログラムコードを有することを特徴とする情報処理装置が実行可能なプログラム。
【請求項１３】
請求項１２に記載のプログラムを記憶したことを特徴とする情報処理装置が読み取り可能な記憶媒体。
【手続補正３】
【補正対象書類名】明細書
【補正対象項目名】００１６
【補正方法】変更
【補正の内容】
【００１６】
【課題を解決するための手段】
上記目的を達成するために、撮像手段からの画像信号を記憶し、記憶した画像信号を読み出して処理することにより、画像を表示手段に変倍表示可能な本発明の撮像装置は、前記表示する画像の拡大率を指示する指示手段と、前記指示手段により指示された前記拡大率を記憶する記憶手段と、前記記憶手段に記憶された拡大率に基づいて前記記憶された画像信号を変倍処理し、前記表示手段に出力する変倍処理手段とを有し、前記記憶手段に記憶された拡大率は、前記指示手段により異なる拡大率が指示された場合に更新され、前記記憶手段に記憶されている拡大率は連続して表示する複数の画像に対して使用されることを特徴とする。
また、撮像手段からの画像信号を記憶し、記憶した画像信号を読み出して処理することにより、画像を表示手段に変倍表示する本発明の再生方法は、前記表示する画像の拡大率を指示する指示工程と、前記指示工程で指示された前記拡大率を記憶する記憶工程と、前記記憶工程で記憶された拡大率に基づいて前記記憶された画像信号を変倍処理し、前記表示手段に出力する変倍処理工程とを有し、前記記憶工程で記憶された拡大率は、前記指示工程で異なる拡大率が指示された場合に更新され、前記記憶工程で記憶した拡大率は連続して表示する複数の画像に対して使用されることを特徴とする。
【手続補正４】
【補正対象書類名】明細書
【補正対象項目名】００１３
【補正方法】削除
【補正の内容】
【手続補正５】
【補正対象書類名】明細書
【補正対象項目名】００２３
【補正方法】変更
【補正の内容】
【００２３】
３１ａは撮影準備スイッチ（ＳＷ１）、３１ｂは撮影スイッチ（ＳＷ２）である。３２は、各種の撮影設定情報を入力すると共に、通常再生時は再生する画像を選択し、拡大再生時の位置選択時には横方向の位置設定をするための第１情報入力部、３３は各種の撮影設定情報を入力すると共に、通常再生時は再生する画像を選択し、拡大再生時の位置選択時には縦方向の位置設定をするための第２情報入力部である。３４、３５、３６は各種の撮影設定モードを選択するためのモード設定手段であり、３４は撮影モード選択ボタン、３５はＡＦモード選択ボタン、３６は測光モード選択ボタンである。
【手続補正６】
【補正対象書類名】明細書
【補正対象項目名】００５３
【補正方法】変更
【補正の内容】
【００５３】
なお、ステップＳ１２７及びＳ１２９では、位置設定ボタン４０またはセレクトボタン３９を押した後、ステップＳ１３７及びＳ１３９で必ず第１情報入力部３２及び／または第２情報入力部３３のダイヤル操作があるものとして説明しているが、一定時間ダイヤル操作が無い場合にはボタンを押される前の状況に戻る（即ち、ステップＳ１２５に戻る）等の機能を備えており、ステップＳ１３７やステップＳ１３９で第１情報入力部３２または第２情報入力部３３が操作されるまでいつまでも待ち続けるということは無い。
【手続補正７】
【補正対象書類名】明細書
【補正対象項目名】００６８
【補正方法】変更
【補正の内容】
【００６８】
なお、ホームポジションボタン４６により移動される先のホームポジション位置は、撮影者の好みの場所を登録することが可能である。撮影者によっては構図に好みがあり、拡大再生機能によって確認したい位置が一定の位置になることがある。その場合、撮影者の好みの場所をこのホームポジション位置として登録しておけば、拡大再生処理中にホームポジションボタン４６を押すことで、好みの位置に移動して拡大再生することが可能である。
【手続補正８】
【補正対象書類名】明細書
【補正対象項目名】００７４
【補正方法】変更
【補正の内容】
【００７４】
ステップＳ１２２では、制御装置２１は、画像番号ｉのデータを元に画像データを取得し、ステップＳ１２３で内部記憶装置２０に記憶されている拡大倍率と画像位置を取得する。画像データは、外部記憶装置１９から取得する場合と、撮影直後に撮影した画像を短時間表示するレックレビュー時のように、内部記憶装置２０から取得する場合とがある。次に、ステップＳ１２４で内部記憶装置２０に予め記憶された拡大倍率及び画像位置に基づいて、画像番号ｉの画像を第３外部表示装置２７に表示する。なお、本第２の実施形態においては初期値として、拡大倍率として画像全体が第３外部表示装置２７に表示できる大きさとなる倍率を、拡大中心位置として中央を記憶しておく。また、ステップＳ１２５〜Ｓ１４２の動作は図４で説明した処理と同様であるが、ステップＳ２０２で再生ボタン４１が押下された場合には、ステップＳ２０３で撮影した画像の全画面を見られる通常再生サイズの拡大倍率へと戻し、ステップＳ１４０で内部記憶装置２０に記憶させる。
【手続補正９】
【補正対象書類名】明細書
【補正対象項目名】００７５
【補正方法】変更
【補正の内容】
【００７５】
ステップＳ１２５〜Ｓ１３１及びステップＳ２０２においていずれかのボタンの操作が無い場合には、ステップＳ１３２でタイマーｔが予め設定した時間を示す値Ｔ２を超えるまでステップＳ１２４で表示された画像が表示され続け、ステップＳ１３４でタイマーの値が増加される。タイマーｔがＴ２を超えた場合にはステップＳ２０４に進み、画像番号カウンタｉが連写モードで撮影した画像の最後の画像を示す画像番号Ｉｅｎｄであるかどうかを判断する。Ｉｅｎｄでない場合には次の画像表示のためにステップＳ２０５に進んで、画像番号カウンターｉの値を１つ上げ、更にタイマーｔを０にリセットし、再スタートする。その後ステップＳ１２２に戻って次の画像番号の画像を取得し、次の画像の再生を行う。
【手続補正１０】
【補正対象書類名】明細書
【補正対象項目名】００９０
【補正方法】変更
【補正の内容】
【００９０】
【他の実施形態】
なお、本発明は、複数の機器（例えばホストコンピュータ、インターフェイス機器、カメラヘッドなど）から構成されるシステムに適用しても、一つの機器からなる装置（例えば、デジタルスチルカメラ、デジタルビデオカメラなど）に適用してもよい。
【手続補正１１】
【補正対象書類名】明細書
【補正対象項目名】００９６
【補正方法】変更
【補正の内容】
【００９６】
（実施様態２）  前記指示手段は更に拡大する領域を指示することが可能であり、前記記憶手段は更に指示手段により指示された領域を記憶し、前記変倍処理手段は前記記憶手段に記憶された拡大率及び領域に基づいて変倍処理を行い、前記領域は前記指示手段により異なる領域が指示された場合に更新され、前記記憶手段に記憶されている拡大率及び領域は連続して表示する複数の画像に対して使用されることを特徴とする実施様態１に記載の撮像装置。
【手続補正１２】
【補正対象書類名】明細書
【補正対象項目名】０１０５
【補正方法】変更
【補正の内容】
【０１０５】
（実施様態１１）  拡大する領域を指示する工程と、
前記指示された領域を記憶する工程とを更に有し、
前記変倍処理工程では前記記憶された拡大率及び領域に基づいて変倍処理を行い、前記領域は異なる領域が指示された場合に更新され、記憶されている拡大率及び領域は連続して表示する複数の画像に対して使用されることを特徴とする実施様態１０に記載の再生方法。